(57)【特許請求の範囲】
【請求項１】
フレキシブル基板、少なくとも１つの集合セクション及び防水部材を備える防水構造を有する結束フレキシブル配線であって、
前記フレキシブル基板は、第１の端部及び第２の端部を有し、延伸方向で延伸し、
前記集合セクションは、前記フレキシブル基板の所定セクションに形成され、前記フレキシブル基板の延伸方向に沿ってカットされて形成された複数の集合線を有し、少なくとも１つの積層セクションを含み、前記積層セクションは、互いに平行に対応するように上下に積層された複数の集合線から構成され、
前記防水部材の防水成型材料により、前記積層セクションの前記集合線のそれぞれを覆うことを特徴とする、防水構造を有する結束フレキシブル配線。
【請求項２】
前記フレキシブル基板の表面には、遮蔽層が設けられ、
前記防水部材は、前記遮蔽層の前記集合線を有する前記積層セクションを覆うことを特徴とする、請求項１に記載の防水構造を有する結束フレキシブル配線。
【請求項３】
前記遮蔽層の表面には、絶縁層が形成されていることを特徴とする、請求項２に記載の防水構造を有する結束フレキシブル配線。
【請求項４】
前記積層セクションの前記集合線は、それぞれの間を接着材料により接着して位置決めした後、前記防水部材で覆うことを特徴とする、請求項１に記載の防水構造を有する結束フレキシブル配線。
【請求項５】
前記積層セクションの前記接着材料は、熱圧着接着剤、感圧接着剤、シリコーンゴム、ゴム、シリコーンゲル、プラスチック又は樹脂を含む絶縁材料であることを特徴とする、請求項４に記載の防水構造を有する結束フレキシブル配線。
【請求項６】
前記積層セクションの前記接着材料は、導電粒子を含むシリコーンゴム、ゴム、シリコーンゲル、プラスチック、樹脂又は熱圧着接着剤を含む導電性材料であることを特徴とする、請求項４に記載の防水構造を有する結束フレキシブル配線。
【請求項７】
前記防水部材は、シリコーンゴム、ゴム、シリコーンゲル、プラスチック又は樹脂を含む絶縁材料からなることを特徴とする、請求項４に記載の防水構造を有する結束フレキシブル配線。
【請求項８】
前記防水部材は、導電粒子を含むシリコーンゴム、ゴム、シリコーンゲル、プラスチック又は樹脂を含む導電性材料からなることを特徴とする、請求項４に記載の防水構造を有する結束フレキシブル配線。
【請求項９】
前記集合セクションは、前記積層セクション以外のセクションが、結束フレキシブル配線との間に隙間を有するパイプ状部材により覆われることを特徴とする、請求項１に記載の防水構造を有する結束フレキシブル配線。
【請求項１０】
前記集合セクションは、前記積層セクション以外のセクションが、前記集合線に対して摺動可能な巻付部材により覆われることを特徴とする、請求項１に記載の防水構造を有する結束フレキシブル配線。
【請求項１１】
前記集合セクションは、前記積層セクション以外のセクションが、結束フレキシブル配線と密着される巻付部材を有することを特徴とする、請求項１に記載の防水構造を有する結束フレキシブル配線。
【請求項１２】
前記集合セクションは、電子装置の回転軸構造に挿通されることを特徴とする、請求項１に記載の防水構造を有する結束フレキシブル配線。
【発明の詳細な説明】
【技術分野】
【０００１】
本発明は、結束フレキシブル配線の防水構造に係り、特に、集合セクション（ｃｌｕｓｔｅｒ  ｓｅｃｔｉｏｎ）を有するフレキシブル配線中に少なくとも１つの積層エリアが含まれ、その積層エリアに防水部材が接続された防水構造を有する結束フレキシブル配線に関する。
【背景技術】
【０００２】
フレキシブル配線又は可撓性配線は、携帯電話、ノート型パソコン、デジタルカメラ、ビデオカメラ、翻訳機などの様々な電子製品に広く応用されている。一般に、従来のフレキシブル配線構造は、絶縁層により被覆された複数の導線が並列された構造となっており、電気信号を伝送するために、コネクタを組み合わせたり、或いは、回路に半田付けしたりして用いる。配線上には、その他の部品（例えば、抵抗、キャパシタ、集積回路、電磁開閉器など）が配置されている。
【０００３】
一般に、フレキシブル配線を各種電子装置に応用するとき、特に防水を考慮する必要はないが、屋外で使用する携帯型電子装置（例えば、携帯電話、デジタルカメラ）に応用する場合、防水及び防湿を考慮する必要がある。例えば、携帯電話に応用する場合、フレキシブル配線は、コネクタ又は半田付けにより、携帯電話の本体と表示モニタとを接続するために用いる。仮に、フレキシブル配線と携帯電話の本体又は表示モニタとの間に防水構造が設けられていない場合、水やその他液体又は不純物がフレキシブル配線に沿って携帯電話の本体又は表示モニタの内部に浸入してしまい、最悪の場合、ショートして壊れてしまう虞がある。
【０００４】
近年、電子装置は、体積が徐々に小さくなる一方、機能が徐々に増えてきており、例えば、回転軸、狭いチャネルなどの構造に、２つの電子部品の配線を挿通させることが困難であるため、回転軸又は狭いチャネルに配線をスムーズに挿通させることができるように、メーカは、フラット形状の配線を折り畳んだりカットしたりして複数の集合線に形成し、結束フレキシブル配線を構成している。
【発明の概要】
【発明が解決しようとする課題】
【０００５】
従来のフレキシブル配線の製品では、例えば、シリコーンゲル、樹脂、ゴムパッドなどの防水部材を電子装置のシェルと配線との間に嵌着し、この防水部材を電子装置のシェルと配線とに強く当接させて防水機能又は防湿機能を得るのが一般的であるが、複数本の集合線を含む結束フレキシブル配線に、従来技術のようにゴムパッドを防水構造として用いた場合、結束フレキシブル配線の各集合線の間の隙間に沿って流れ、携帯電話の本体又は表示スクリーンの内部に浸入する虞がある。
【０００６】
そのため、本発明の目的は、水やその他の液体又は不純物が結束フレキシブル配線の各集合線の隙間に沿って、電子装置のシェルに浸入することを防ぎ、防水、防湿又は防塵の機能を得る防水構造を有する結束フレキシブル配線を提供することにある。
【０００７】
本発明のもう一つの目的は、巻付部材又はパイプ状部材を設置することにより、防水機能及び耐折れ強度を向上させ、結束フレキシブル配線の耐折れ強度を高め、回転軸の孔部機構装置（ｈｏｌｅｄ  ｍｅｃｈａｎｉｓｍ  ｄｅｖｉｃｅ）などに挿通させることができるようにする防水構造を有する結束フレキシブル配線を提供することにある。
【課題を解決するための手段】
【０００８】
上記課題を解決するために、第１の発明では、フレキシブル基板、少なくとも１つの集合セクション及び防水部材を備える防水構造を有する結束フレキシブル配線であって、前記フレキシブル基板は、第１の端部及び第２の端部を有し、延伸方向で延伸し、前記集合セクションは、前記フレキシブル基板の所定セクションに形成され、前記フレキシブル基板の延伸方向に沿ってカットされて形成された複数の集合線を有し、少なくとも１つの積層セクションを含み、前記積層セクションは、互いに平行に対応するように上下に積層された複数の集合線から構成され、前記防水部材の防水成型材料により、前記積層セクションの前記集合線のそれぞれを覆うことを特徴とする。
【０００９】
第２の発明では、前記フレキシブル基板の表面には、遮蔽層が設けられ、前記防水部材は、前記遮蔽層の前記集合線を有する前記積層セクションを覆うことを特徴とする。
【００１０】
請求項３の発明では、前記遮蔽層の表面には、絶縁層が形成されていることを特徴とする。
【００１１】
第４の発明では、前記積層セクションの前記集合線は、それぞれの間を接着材料により接着して位置決めした後、前記防水部材で覆うことを特徴とする。
【００１２】
第５の発明では、前記積層セクションの前記接着材料は、熱圧着接着剤、感圧接着剤、シリコーンゴム、ゴム、シリコーンゲル、プラスチック又は樹脂を含む絶縁材料であることを特徴とする。
【００１３】
第６の発明では、前記積層セクションの前記接着材料は、導電粒子を含むシリコーンゴム、ゴム、シリコーンゲル、プラスチック、樹脂又は熱圧着接着剤を含む導電性材料であることを特徴とする。
【００１４】
第７の発明では、前記防水部材は、シリコーンゴム、ゴム、シリコーンゲル、プラスチック又は樹脂を含む絶縁材料からなることを特徴とする。
【００１５】
第８の発明では、前記防水部材は、導電粒子を含むシリコーンゴム、ゴム、シリコーンゲル、プラスチック又は樹脂を含む導電性材料からなることを特徴とする。
【００１６】
第９の発明では、前記集合セクションは、前記積層セクション以外のセクションが、結束フレキシブル配線との間に隙間を有するパイプ状部材により覆われることを特徴とする。
【００１７】
第１０の発明では、前記集合セクションは、前記積層セクション以外のセクションが、前記集合線に対して摺動可能な巻付部材により覆われることを特徴とする。
【００１８】
第１１の発明では、前記集合セクションは、前記積層セクション以外のセクションが、結束フレキシブル配線と密着される巻付部材を有することを特徴とする。
【００１９】
第１２の発明では、前記集合セクションは、電子装置の回転軸構造に挿通されることを特徴とする。
【発明の効果】
【００２０】
本発明の防水構造を有する結束フレキシブル配線は、水やその他液体又は不純物が結束フレキシブル配線の各集合線の隙間に沿って、電子装置のシェルに浸入することを防ぎ、防水、防湿又は防塵の機能を得る。
【図面の簡単な説明】
【００２１】
【図１】本発明の一実施形態による防水構造を有する結束フレキシブル配線を示す模式図である。
【図２】本発明の一実施形態による防水構造を有する結束フレキシブル配線を携帯電話に結合したときの状態を示す斜視図である。
【図３】本発明の一実施形態による防水構造を有する結束フレキシブル配線を、電子装置に設けた槽口に対応するように嵌着させたときの状態を示す斜視図である。
【図４】本発明の一実施形態による防水構造を有する結束フレキシブル配線を、電子装置に設けた槽口に対応するように嵌着させたときの状態を示す断面図である。
【図５】図１の線５−５に沿った断面図である。
【図６】図５の集合線を示す部分拡大図である。
【図７】本発明の一実施形態による防水構造を有する結束フレキシブル配線は、積層セクション以外のセクションを覆い、集合線に対して摺動可能な螺旋状の巻付部材を示す模式図である。
【図８】本発明の一実施形態による防水構造を有する結束フレキシブル配線は、積層セクション以外のセクションを覆い、結束フレキシブル配線と密着された螺旋状の巻付部材を示す模式図である。
【図９】本発明の一実施形態による防水構造を有する結束フレキシブル配線は、積層セクション以外のセクションを覆い、結束フレキシブル配線との間に隙間を有するパイプ状部材を示す模式図である。
【図１０】本発明の一実施形態による防水構造を有する結束フレキシブル配線は、積層セクション以外のセクションを覆い、結束フレキシブル配線と密着されたパイプ状部材を示す模式図である。
【発明を実施するための形態】
【００２２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２３】
図１を参照する。図１に示すように、本発明の一実施形態による防水構造を有する結束フレキシブル配線１００は、延伸方向Ｉで延伸されたフレキシブル基板１を有する。フレキシブル基板１の第１の端部１１及び第２の端部１２は、実際の必要に応じ、差込プラグ、挿入口、半田付け端、開放端など様々な態様に形成してもよい。
【００２４】
フレキシブル基板１の中央セクション又は所定セクションは、少なくとも１つの集合セクション１３を有する構造に形成してもよい。この集合セクション１３は、フレキシブル基板１の延伸方向Ｉに沿ってカットして形成された複数の集合線１４により構成され、各集合線１４は、収束されて結束構造に形成される。集合セクション１３の所定位置又は集合セクション１３を含む少なくとも一部のセクションには、積層セクション１５が形成され、この積層セクション１５には、防水部材２１，２２が接続されている。図１に示すように、防水部材２１，２２は、集合セクション１３の両端に設けられた第１の端部１１及び第２の端部１２に隣接した箇所に結合されている。
【００２５】
実際に使用する際は、フレキシブル基板１を独立させて電子装置に結合したり、回転軸部材３に挿通させて２つの電子部品を接続したりしてもよい。図２を参照する。図２に示すように、本発明を携帯電話などの電子装置４に応用する際は、電子装置４の回転軸部材３の中空部にフレキシブル基板１を挿通させた後、フレキシブル基板１の第１の端部１１を電子装置４の第１の部材４１（例えば、携帯電話の表示モニタ）に接続し、フレキシブル基板１の第２の端部１２を電子装置４の第２の部材４２（例えば、携帯電話の本体）に接続させる。
【００２６】
図３及び図４を参照する。図３及び図４に示すように、防水部材（本実施形態では符号２１で示す）と、電子装置４の第１の部材４１に予め設けた槽口４１１とを組み合わせることにより、水やその他液体又は不純物が結束フレキシブル基板の隙間に沿って、電子装置４の第１の部材４１内部に浸入することを防ぎ、防水、防湿又は防塵の機能を得ることができる。
【００２７】
図５を参照する。図５に示すように、フレキシブル基板１の積層セクション１５中の各集合線１４は、互いに平行に、対応するように上下に積層され、各集合線１４の間が接着材料５により接着されて位置決めされてから、防水成型材料（ｗａｔｅｒ  ｒｅｓｉｓｔａｎｔ  ｍｏｌｄｅｄ  ｍａｔｅｒｉａｌ）６により被覆されてプレス成形される。防水成型材料６がプレス成形されて各集合線１４と結合される際、互いに隣接した集合線１４の隙間に充填部６１が充填される。実際には、集合線１４の層間に、互いに積層された複数組の集合線に亘って接着材料５を設け、位置決めして圧着した後、防水成型材料６で覆ってプレス成形を行う。
【００２８】
前述の防水部材は、導電機能及び防磁機能が得られるように、例えば、シリコーンゴム、ゴム、シリコーンゲル、プラスチック、樹脂などの絶縁材料からなってもよいし、例えば、導電粒子（例えば、黒鉛、銀、ニッケルなど）を含むシリコーンゴム、ゴム、シリコーンゲル、プラスチック、樹脂などの導電性材料からなってもよい。
【００２９】
前述の接着材料５は、導電機能及び防磁機能が得られるように、例えば、熱圧着接着剤（ｈｏｔ  ｐｒｅｓｓｕｒｅ  ａｄｈｅｓｉｖｅ）、感圧接着剤（ｐｒｅｓｓｕｒｅ  ｓｅｎｓｉｔｉｖｅ  ａｄｈｅｓｉｖｅ）、シリコーンゴム（ｓｉｌｉｃｏｎ  ｒｕｂｂｅｒ）、ゴム、シリコーンゲル、プラスチック、樹脂などの絶縁材料からなってもよいし、例えば、導電粒子（例えば、黒鉛、銀、ニッケルなど）を含むシリコーンゴム、ゴム、シリコーンゲル、プラスチック、樹脂、熱圧着接着剤などの導電性材料からなってもよい。
【００３０】
フレキシブル基板の各集合線１４は、単純な基板１４１（図６参照）でもよいし、基板１４１の表面に形成された遮蔽層１４２を、フレキシブル基板又はシェルのメインボードのグランドラインと接続し、防水構造の積層された各集合線の外側を覆う遮蔽層１４２と、導電材料を有する防水部材及びシェルとを導通するとともに、電磁波による妨害を防ぐことができる。また遮蔽層１４２の表面には、絶縁層１４３を形成してもよい。
【００３１】
上述の構造により形成した結束フレキシブル配線は、防水部材２１，２２を有し、各集合線１４の間に接着材料５及び充填部６１を設けることにより高い防水機能を得てもよい。
【００３２】
本発明の防水構造を有する結束フレキシブル配線は、防水部材の結合が完了した後、積層セクション１５以外のセクションを、集合線１４に対して摺動可能なように設けた螺旋状の巻付部材７ａ（図７参照）により覆ったり、結束フレキシブル配線に密着されるように設けた螺旋状の巻付部材７ｂにより覆ったりしてもよい（図８参照）。
【００３３】
本発明の結束フレキシブル配線は、防水部材の結合が完了した後、積層セクション１５以外のセクションを、結束フレキシブル配線１４との間に隙間が設けられたパイプ状部材８ａにより覆ったり（図９参照）、結束フレキシブル配線と密着されたパイプ状部材８ｂにより覆ったりしてもよい（図１０参照）。
【００３４】
上述の巻付部材又はパイプ状部材を設置する主な目的は、結束フレキシブル配線の耐折れ強度を高めて、回転軸の孔部機構装置に挿通させることができるようにすることにある。
【００３５】
当該技術分野の当業者が実施できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３６】
１  フレキシブル基板
３  回転軸部材
４  電子装置
５  接着材料
６  防水成型材料
７ａ  巻付部材
７ｂ  巻付部材
８ａ  パイプ状部材
８ｂ  パイプ状部材
１１  第１の端部
１２  第２の端部
１３  集合セクション
１４  集合線
１５  積層セクション
２１  防水部材
２２  防水部材
４１  第１の部材
４２  第２の部材
６１  充填部
１００  結束フレキシブル配線
１４１  基板
１４２  遮蔽層
１４３  絶縁層
４１１  槽口
Ｉ  延伸方向
【図１】
0005134711.tif 000002
【図２】
0005134711.tif 000003
【図３】
0005134711.tif 000004
【図４】
0005134711.tif 000005
【図５】
0005134711.tif 000006
【図６】
0005134711.tif 000007
【図７】
0005134711.tif 000008
【図８】
0005134711.tif 000009
【図９】
0005134711.tif 000010
【図１０】
0005134711.tif 000011